(57)【要約】【課題】フレキシブル基板の面積を有効に利用できること。【解決手段】フレキシブル基板に実装するホトダイオード８の外側で前記ホトダイオード８の端子部３５を前記フレキシブル基板１１に挿通させるように前記フレキシブル基板１１に形成した第１挿通孔２１と、前記フレキシブル基板１１に実装する前記ホトダイオード８よりも外側で前記端子部３５を前記フレキシブル基板１１に挿通するように前記フレキシブル基板１１に形成した第２挿通孔２２とを有し、前記第１及び第２挿通孔２１，２２を挿通した前記端子部３５を前記カバーフィルム１４を取り除き露出させた前記導体パターン１３に半田４１により接続した。【選択図】      図１
2004266135.tif 000002
【特許請求の範囲】
【請求項１】
フレキシブル基板と、該フレキシブル基板に実装して接続する実装部品とを含み、前記フレキシブル基板は、複数の導体パターンを有し、前記実装部品は、本体と、該本体の外へ延びている複数の端子部とを有し、前記導体パターンに前記端子部を半田によって接続するフレキシブル基板及び実装部品の接続構造において、
前記端子部を前記フレキシブル基板に挿通させるよう前記フレキシブル基板に形成した第１挿通孔と、前記端子部を前記フレキシブル基板に挿通するよう前記フレキシブル基板に形成した第２挿通孔とを有し、前記第１及び第２挿通孔を挿通した前記端子部が前記導体パターンに半田により接続されていることを特徴とするフレキシブル基板及び実装部品の接続構造。
【請求項２】
請求項１記載のフレキシブル基板及び実装部品の接続構造において、前記端子部の延在方向における前記第１貫通孔の幅寸法が、前記端子部の延在方向における前記第２挿通孔の幅寸法よりも大きい幅寸法を有していることを特徴とするフレキシブル基板及び実装部品の接続構造。
【請求項３】
請求項２記載のフレキシブル基板及び実装部品の接続構造において、前記本体は、一面及び該一面とは反対側で前記フレキシブル基板に対向しかつ前記本体を実装する設置面との間で前記端子部を外へ延出している第１側面と、該第１側面に対向し前記端子部を外へ延出している第２側面とを有し、前記第１挿通孔は、前記第１側面に沿って形成した長い寸法の孔であり、前記第２挿通孔は、前記第２側面に沿って形成した長い寸法の孔であることを特徴とするフレキシブル基板及び実装部品の接続構造。
【請求項４】
請求項１乃至３のいずれか１項に記載のフレキシブル基板及び実装部品の接続構造において、前記端子部の先端部分が、前記導体パターンに対向するよう曲げられていることを特徴とするフレキシブル基板及び実装部品の接続構造。
【請求項５】
記録及び再生可能な光記録媒体で反射された戻りビームを受光する受光部品と、該受光部品を実装したフレキシブル基板と、前記受光部品を対向させて取り付た光学ベースを含み、前記フレキシブル基板は、複数の導体パターンを有し、前記受光部品は、本体と、該本体の外へ延びている複数の端子部とを有し、前記導体パターンに前記端子部を半田によって接続する光ピックアップ装置において、
前記端子部を前記フレキシブル基板に挿通させるよう前記フレキシブル基板に形成した第１挿通孔と、前記端子部を前記フレキシブル基板に挿通するよう前記フレキシブル基板に形成した第２挿通孔とを有し、前記第１及び第２挿通孔を挿通した前記端子部が前記導体パターンに半田により接続されていることを特徴とする光ピックアップ装置。
【請求項６】
請求項５記載の光ピックアップ装置において、前記端子部の延在方向における前記第１貫通孔の幅寸法が、前記端子部の延在方向における前記第２挿通孔の幅寸法よりも大きい幅寸法を有していることを特徴とする光ピックアップ装置。
【請求項７】
請求項６記載の光ピックアップ装置において、前記本体は、一面及び該一面とは反対側で前記フレキシブル基板に対向しかつ前記本体を実装する設置面との間で前記端子部を外へ延出している第１側面と、該第１側面に対向し前記端子部を外へ延出している第２側面とを有し、前記第１挿通孔は、前記第１側面のそれそれに沿って形成した長い寸法の孔であり、前記第２挿通孔は、前記第２側面のそれそれに沿って形成した長い寸法の孔であることを特徴とする光ピックアップ装置。
【請求項８】
請求項５乃至７のいずれか１項に記載の光ピックアップ装置において、前記端子部の先端部分が、前記導体パターンに対向するよう曲げられていることを特徴とする光ピックアップ装置。
【発明の詳細な説明】
【０００１】
【発明の属する技術分野】
本発明は、実装部品の端子部とフレキシブル基板の導体パターンとを接続するフレキシブル基板及び実装部品の接続構造、及び光ピックアップ装置に属する。
【０００２】
【従来の技術】
最近では、パーソナルコンピュータ等の電子機器には光ディスクドライブが搭載されることが多い。光ディスクドライブに使用可能な記録媒体の１つとしてＣＤ−Ｒ（ｃｏｍｐａｃｔ  ｄｉｓｃ  ｒｅｃｏｒｄａｂｌｅ）、ＣＤ−ＲＷ（ｃｏｍｐａｃｔ  ｄｉｓｃ  ｒｅｗｒｉｔａｂｌｅ）が知られている。ＣＤ−Ｒは追記が繰り返し可能な記録媒体であって、ＣＤ−ＲＷは書き換え可能な記録媒体であるが、ＣＤ−ＲＯＭやオーディオＣＤ（ＣＤ−ＤＡ）と互換性がある。ＣＤ−Ｒ、ＣＤ−ＲＷへの書込みには専用の装置と書込み用アプリケーションが必要であるが、ＣＤ−Ｒ、ＣＤ−ＲＷからの読出しは通常のＣＤ−ＲＯＭドライブで実行できる。ＣＤ−Ｒ、ＣＤ−ＲＷ、ＣＤ−ＲＯＭ、オーディオＣＤ、及びＤＶＤ−ＲＯＭ、ＤＶＤ−Ｒ，ＤＶＤ−ＲＷ，ＤＶＤ＋ＲＷ，ＤＶＤ−ＲＡＭ等をここでは纏めて光ディスクと呼ぶ。
【０００３】
このような光ディスクにデータを記録したり再生したりするには、光ピックアップ装置が使用される。図４は、光ピックアップ装置の概要を示している。図示の光ピックアップ装置は、パーソナルコンピュータ等の電子機器に搭載される光ディスクドライブに使用可能なものであり、レーザビームを発生する半導体レーザ素子であるレーザダイオード１を発光素子として用いている。
【０００４】
レーザダイオード１から発せられたレーザビームは、ビームスプリッタ２により分岐され、一部はモニタ装置３に入射する。レーザビームの他部はコリメートレンズ４、立ち上げミラー５、及び対物レンズ６を介して光ディスク７に照射する。モニタ装置３は、レーザビームの強度を検出する。検出された強度は、レーザダイオード１の駆動の制御に使用される。こうして、レーザダイオード１から発せられたレーザビームを用いて光ディスク７にデータを記録できるようにしている。
【０００５】
また、光ディスク７からの反射光は、対物レンズ６、立ち上げミラー５、コリメートレンズ４、及びビームスプリッタ２などを介して受光部品としてのホトダイオード８に入射する。こうして、レーザダイオード１から発せられたレーザビームを用いて光ディスク７からデータを再生できるようにしている。
【０００６】
図５乃至図８は、光ピックアップ装置を示している。なお、レーザビームの経路に配置されたビームスプリッタ２、コリメートレンズ４、立ち上げミラー５、及び対物レンズ６等の様々な光学素子を纏めて、ここでは光学系と呼ぶ。この光学系、レーザダイオード１、モニタ装置３、及びホトダイオード８は、装置筐体である光学ベース１０に保持される。光学ベース１０は、光ディスクドライバに対しシャフト１０ｓをガイド穴１０ａに挿通することによって移動可能に搭載される。
【０００７】
さらに、レーザダイオード１、モニタ装置３、及びホトダイオード８は、図９にも示すフレキシブル基板１１に接続されている。レーザダイオード１は、光学ベース１０のレーザダイオード取付部１０ｂに固定される。ホトダイオード８は、図９にも示したフレキシブル基板１１のホトダイオード取付部（受光部品取付部）１１ａに取り付けられた後、光学ベース１０に固定される。
【０００８】
図１０に示すように、フレキシブル基板１１は、絶縁性のベースフィルム１２と、ベースフィルム１２上に設けた複数の導体パターン１３と、ベースフィルム１２上で導体パターン１３を挟みベースフィルム１２に保持している絶縁性のカバーフィルム１４とを有している。
【０００９】
ホトダイオード８は、本体３４と、本体３４の外へ延びてい複数の端子部３５とを有している。本体３４は、光ビームを入射する側の一面（受光面）３４ａと、一面３４ａとは反対側でフレキシブル基板１１に対向している。また本体３４は、本体３４を実装する設置面３４ｂと、一面３４ａ及び設置面３４ｂ間で端子部３５を外へ延出している第１側面３４ｃと、第１側面３４ｃに対向し端子部３５を外へ延出したている第２側面３４ｄとを有している。端子部３５は、カバーフィルム１４を取り除き露出させたホトダイオード取付部１１ａの導体パターン１３に半田４１によって接続されている。
【００１０】
ところで、上述したようなフレキシブル基板１１とホトダイオード８とは、ホトダイオード８の一面３４ａを光学ベース１０に対向させることによって光ビームを入射するものであることから、ホトダイオード８が指向性をもっている。
【００１１】
光ピックアップ装置では、ホトダイオード８を光学ベース１０の側面に設けるように構成されており、ホトダイオード８から送られる信号は、フレキシブル基板１１によって光ディスクドライブ側に送られる。光ピックアップ装置の様々な回路は、図９に示したフレキシブル基板１１に備えることによって構造の簡素化が図られている。
【００１２】
したがって、フレキシブル基板１１もホトダイオード８の向きによって折り曲げられる。また、ホトダイオード８の一面３４ａとホトダイオード取付部１１ａの導体パターン１３に半田４１とは、同じ側の面となる。
【００１３】
ホトダイオード８の一面３４ａは、図１０に示したように、常に光学ベース１０側に向ける必要がある。そこで、フレキシブル基板１１のホトダイオード取付部１１ａは、ホトダイオード８の一面３４ａ側で光ビームを受光して入射できるように光学ベース１０へ対向するように略直角に曲げることによって配置される（例えば、特許文献１参照）。
【００１４】
さらに、光ピックアップ装置においては、設計上でフレキシブル基板１１におけるホトダイオード取付部１１ａのカバーフィルム１４側が光学ベース１０側に対向させるようにしなければならない場合がある。この場合、フレキシブル基板１１のホトダイオード取付部１１ａは、ホトダイオード８の一面３４ａ側で光ビームを受光して入射できるように光学ベース１０へ対向するように曲げようとしても、ホトダイオード８の一面３４ａが光学ベース１０へ対向させることができない。
【００１５】
このような場合における第１の対策としては、あらかじめホトダイオード取付部１１ａに連接しているフレキシブル基板１１に長い寸法部分となる延長部分を形成しておき、ホトダイオード取付部１１ａを延長部分の面に対向するように側面略Ｕ字状に折り返して曲げることによって、ホトダイオード８の一面３４ａ側で光ビームを受光して入射できるようにしている。
【００１６】
また、第２の対策としては、図１１に示すように、フレキシブル基板１１のホトダイオード取付部１１ａに大きな穴１９を形成して、ホトダイオード８の一面３４ａを光学ベース１０に対向させるように穴１９へ挿入した後、端子部３５をカバーフィルム１４を取り除き露出させた導体パターン１３に半田によって接続するようにしている。
【００１７】
【特許文献１】
特開平１１−２８３２６７号公報（第１頁、図１）
【００１８】
【発明が解決しようとする課題】
しかしながら、上述した第１の対策では、あらかじめホトダイオード取付部１１ａに連接しているフレキシブル基板１１に長い寸法部分となる延長部分を形成しておき、ホトダイオード取付部１１ａを延長部分の面に対向するように側面略Ｕ字状に折り返して曲げることによって、ホトダイオード８の一面３４ａ側で光ビームを受光して入射できるようにしているので、折り曲げ作業が複雑なものとなり、フレキシブル基板１１の面積が大きくなってしまうことから設計上における制約ができてしまうという問題がある。
【００１９】
また、第２の対策として、フレキシブル基板１１に大きな穴１９を形成して、ホトダイオード８の一面３４ａを光学ベース１０に対向させると、穴１９を形成することから、ベースフィルム１２側に、図１０に示したような電子部品５１，５２を搭載できず、制約ができてしまうという問題がある。
【００２０】
それ故に本発明の課題は、フレキシブル基板及び実装部品の接続構造、及び光ピックアップ装置を提供することにある。
【００２１】
【課題を解決するための手段】
本発明によれば、フレキシブル基板（１１）と、該フレキシブル基板に実装して接続する実装部品（３３）とを含み、前記フレキシブル基板は、複数の導体パターン（１３）を有し、前記実装部品は、本体（３４）と、該本体の外へ延びている複数の端子部（３５）とを有し、前記導体パターンに前記端子部を半田によって接続するフレキシブル基板及び実装部品の接続構造において、前記端子部（３５）を前記フレキシブル基板（１１）に挿通させるよう前記フレキシブル基板に形成した第１挿通孔（２１）と、前記端子部（３５）を前記フレキシブル基板（１１）に挿通するよう前記フレキシブル基板に形成した第２挿通孔（２２）とを有し、前記第１及び第２挿通孔（２１，２２）を挿通した前記端子部（３５）が前記導体パターン（１３）に半田（４１）により接続されていることを特徴とするフレキシブル基板及び実装部品の接続構造が得られる。
【００２２】
また、フレキシブル基板及び実装部品の接続構造においては、前記端子部（３５）の延在方向における前記第１貫通孔（２１）の幅寸法が、前記端子部の延在方向における前記第２挿通孔（２２）の幅寸法よりも大きい幅寸法を有するようにしてもよい。
【００２３】
また、フレキシブル基板及び実装部品の接続構造においては、前記本体（３４）は、一面（３４ａ）及び該一面とは反対側で前記フレキシブル基板に対向しかつ前記本体を実装する設置面（３４ｂ）との間で前記端子部（３５）を外へ延出している第１側面（３４ｃ）と、該第１側面に対向し前記端子部を外へ延出している第２側面（３４ｄ）とを有し、前記第１挿通孔（２１）は、前記第１側面に沿って形成した長い寸法の孔であり、前記第２挿通孔は、前記第２側面に沿って形成した長い寸法の孔であるようにしてもよい。
【００２４】
さらに、フレキシブル基板及び実装部品の接続構造においては、前記端子部（３５）の先端部分が、前記導体パターン（１３）に対向するよう曲げるようにしてもよい。
【００２５】
また、本発明によれば、記録及び再生可能な光記録媒体で反射された戻りビームを受光する受光部品（８）と、該受光部品を実装したフレキシブル基板（１１）と、前記受光部品を対向させて取り付た光学ベース（１０）を含み、前記フレキシブル基板は、複数の導体パターン（１３）を有し、前記受光部品は、本体（３４）と、該本体の外へ延びている複数の端子部（３５）とを有し、前記導体パターンに前記端子部を半田によって接続する光ピックアップ装置において、前記端子部を前記フレキシブル基板に挿通させるよう前記フレキシブル基板に形成した第１挿通孔（２１）と、前記端子部（３５）を前記フレキシブル基板（１１）に挿通するよう前記フレキシブル基板に形成した第２挿通孔（２２）とを有し、前記第１及び第２挿通孔を挿通した前記端子部（３５）が前記導体パターン（１３）に半田（４１）により接続されていることを特徴とする光ピックアップ装置が得られる。
【００２６】
また、光ピックアップ装置においては、前記端子部（３５）の延在方向における前記第１貫通孔（２１）の幅寸法が、前記端子部の延在方向における前記第２挿通孔（２２）の幅寸法よりも大きい幅寸法を有するようにしてもよい。
【００２７】
また、光ピックアップ装置においては、前記本体（３４）は、一面（３４ａ）及び該一面とは反対側で前記フレキシブル基板に対向しかつ前記本体を実装する設置面（３４ｂ）との間で前記端子部（３５）を外へ延出している第１側面（３４ｃ）と、該第１側面に対向し前記端子部を外へ延出している第２側面（３４ｄ）とを有し、前記第１挿通孔（２１）は、前記第１側面のそれそれに沿って形成した長い寸法の孔であり、前記第２挿通孔は、前記第２側面のそれそれに沿って形成した長い寸法の孔であるようにしてもよい。
【００２８】
さらに、光ピックアップ装置においては、前記端子部（３５）の先端部分が、前記導体パターン（１３）に対向するよう曲げるようにしてもよい。
【００２９】
尚、上記括弧内の符号は、本発明の理解を容易にするために付したものであり、一例にすぎず、これらに限定されないのは勿論である。
【００３０】
【発明の実施の形態】
以下、本発明に係るフレキシブル基板及び実装部品の接続構造、及び光ピックアップ装置の一実施の形態例を説明する。この実施の形態例におけるフレキシブル基板及び実装部品は、例えば、周知のように、ＤＶＤ（ディジタルビデオディスク）プレーヤにおいて、ＤＶＤとＣＤ（コンパクトディスク）とのいずれをも再生可能にするための光学ピックアップ装置の光学系システムにおける附属部品として使用される。
【００３１】
図１は、一実施の形態例におけるフレキシブル基板及び実装部品の接続構造を示している。図２は、図９に示したフレキシブル基板１１のホトダイオード取付部１１ａに相当する部分を示している。図３は、図１に示したフレキシブル基板及び実装部品の接続構造において半田を除いた平面を示している。なお、実装部品としては、受光部品、具体例としてホトダイオード８を採用して説明する。また、図４乃至１１におけるフレキシブル基板１１及びホトダイオード８における接続構造と同じ部分には、同じ符号を付して説明する。
【００３２】
図１乃至図３を参照して、フレキシブル基板１１と、このフレキシブル基板１１に実装するホトダイオード８を有している。フレキシブル基板１１は、絶縁性のベースフィルム１２と、ベースフィルム１２上に設けられている複数の導体パターン１３と、ベースフィルム１２上で導体パターン１３を挟みベースフィルム１３に保持した絶縁性のカバーフィルム１４とを有している。
【００３３】
なお、フレキシブル基板１１では、ホトダイオード取付部１１ａのカバーフィルム１４側を光学ベース１０側とは逆向にさせるようにしなければならない場合がある。この際、ホトダイオード８は、ベースフィルム１２側に実装される。そして、電子部品５１，５２は、カバーフィルム１４側に複数が設けられている部品実装パターン６１に半田によって接続される。部品実装パターン６１は、カバーフィルム１４が除かれた部分に位置している。
【００３４】
ホトダイオード８は、光ビームを入射することから指向性をもっており、光ビームを入射できるように光学ベース１０の側面に対向するようにフレキシブル基板１１に配置される。ホトダイオード８は、本体３４と、本体３４の外へ延びている複数の端子部３５とを有している。本体３４は、光ビームを入射する側の一面３４ａと、一面３４ａとは反対側でフレキシブル基板１１に対向している設置部３４ｂとを有している。
【００３５】
さらに、本体３４は、本体３４をフレキシブル基板１１のベースフィルム１２上もしくはカバーフィルム１４上のいずれかに実装する設置面３４ｂと、一面３４ａ及び設置面３４ｂ間で端子部３５を外へ延出させている第１側面３４ｃと、第１側面３４ｃに対向して端子部３５を外へ延出させている第２側面３４ｄとを有している。
【００３６】
フレキシブル基板１１には、フレキシブル基板１１に実装する本体３４の第１側面３４ｃよりも外側で端子部３５をフレキシブル基板１１に挿通させるように、フレキシブル基板１１に形成した第１挿通孔２１と、フレキシブル基板１１に実装する本体３４の第２側面３４ｄよりも外側で端子部３５をフレキシブル基板１１に挿通するように、フレキシブル基板１１に形成した第２挿通孔２２とが形成されている。
【００３７】
第１及び第２挿通孔２１，２２を挿通した端子部３５は、第１及び第２挿通孔２１，２２の近傍でカバーフィルム１４を取り除き露出させた導体パターン１３に半田４１によって接続されている。
【００３８】
端子部３５の延在方向における第１貫通孔２１の幅寸法は、図２に示したように、端子部３５の延在方向における第２挿通孔２２の幅寸法よりも大きい幅寸法を有している。端子部３５の先端部分は、露出させた導体パターン１３に対向するように曲げられている。
【００３９】
第１挿通孔２１は、第１側面３４ｃのそれそれに沿って形成した長い寸法の孔であり、第２挿通孔２２は、第２側面３４ｄのそれそれに沿って形成した長い寸法の孔である。
【００４０】
ホトダイオード８は、フレキシブル基板１１のベースフイルム１２上に本体３４の設置面３４ｂを設置し、第１及び第２挿通孔２１，２２に端子部３５を挿通させる。この際、端子部３５は、先端部分が導体パターン１２に対向するように曲げられており、端子部３５の延在方向における第２挿通孔２２の幅寸法よりも第１挿通孔２１が大きい幅寸法を有しているので、第１及び第２挿通孔２１，２２に端子部３５が係合しており、フレキシブル基板１１から容易に脱落することがない。その後、端子部３５は、カバーフィルム１４を取り除き露出させた導体パターン１３に半田によって接続する。
【００４１】
上述したように、図１に示したフレキシブル基板１１では、ホトダイオード取付部１１ａのカバーフィルム１４側を光学ベース１０側とは逆向きに位置させるようにしなければならない場合がある。この場合、フレキシブル基板１１のホトダイオード取付部１１ａは、ホトダイオード８の一面３４ａ側で光ビームを受光し入射するように光学ベース１０へ対向するように曲げた状態で、第１及び第２挿通孔２１，２２を挿通した端子部３５を第１及び第２挿通孔２１，２２の近傍でカバーフィルム１４を取り除き露出させた導体パターン１３に半田４１によって接続する。
【００４２】
なお、実施の形態例によって説明したフレキシブル基板１１に実装して導体パターン１３に半田によって接続する実装部品としてホトダイオード８を採用して説明したが、ホトダイオード８に限らず端子部を導体パターン１３に半田によって接続する実装部品であれば、本発明を適用することができる。
【００４３】
【発明の効果】
本発明に係るフレキシブル基板及び実装部品の接続構造によれば、フレキシブル基板の挿通孔を通して端子部を挿通し、半田により端子部と導体パターンとを接続する面とは反対側の面に受光部品を実装することができるので、光ビームを発光又は入射する側の一面を逆向きに配置する場合に、設計上の制約がなく、フレキシブル基板の面積を有効に利用できる。
【００４４】
また、受光部品を逆向きに実装する場合には、ベースフィルム側に他の受光部品を搭載できる。
【００４５】
さらに、受光部品の端子部間には、導体パターンを配線したり、他の受光部品などを実装することができ、フレキシブル基板の小型化にも対応が可能となる。
【図面の簡単な説明】
【図１】本発明に係るフレキシブル基板及び実装部品の接続構造の一実施の形態例を示し、フレキシブル基板の一部を断面して示した側面図である。
【図２】図１に示したフレキシブル基板のホトダイオード取付部を示す示す平面図である。
【図３】図１に示したフレキシブル基板及びホトダイオードの接続構造において半田を除いた平面を示す平面図である。
【図４】従来の光ピックアップ装置の概略構成を示す構成図である。
【図５】図４に示した光ピックアップ装置をフレキシブル基板とともに示した平面図である。
【図６】図５に示した光ピックアップ装置の左側面図である。
【図７】図５に示した光ピックアップ装置の右側面図である。
【図８】図５に示した光ピックアップ装置の背面図である。
【図９】図５に示した光ピックアップ装置に接続するフレキシブル基板を示す平面図である。
【図１０】従来のフレキシブル基板及び受光部品を示し、フレキシブル基板の一部を断面して示した側面図である。
【図１１】他の従来例としてのフレキシブル基板及びホトダイオードの接続構造を示し、フレキシブル基板の一部を断面して示した側面図である。
【符号の説明】
１    レーザダイオード
２    ビームスプリッタ
３    モニタ装置
４    コリメートレンズ
５    立ち上げミラー
６    対物レンズ
７    光ディスク
８    ホトダイオード
１０    光学ベース
１１    フレキシブル基板
１１ａ    ホトダイオード取付部
１２    ベースフィルム
１３    導体パターン
１４    カバーフィルム
２１    第１挿通孔
２２    第２挿通孔
３４    本体
３４ａ    一面
３４ｂ    設置面
３４ｃ    第１側面
３４ｄ    第２側面
３５    端子部
４１    半田
【図１】
2004266135.tif 000003
【図２】
2004266135.tif 000004
【図３】
2004266135.tif 000005
【図４】
2004266135.tif 000006
【図５】
2004266135.tif 000007
【図６】
2004266135.tif 000008
【図７】
2004266135.tif 000009
【図８】
2004266135.tif 000010
【図９】
2004266135.tif 000011
【図１０】
2004266135.tif 000012
【図１１】
2004266135.tif 000013